(57)【特許請求の範囲】
【請求項１】
防水性テープ(11)のテープ側縁部にエレメント列(12)が設けられた左右一対のファスナーストリンガー(10)と、前記エレメント列(12)に沿って摺動するスライダー(20)と、前記エレメント列(12)の閉鎖方向側の端部に隣接して配されるスライダー止部材(30)とを少なくとも有する防水性スライドファスナー(1) にあって、
前記スライダー(20)は、上翼板(22)及び下翼板(23)と、前記上翼板(22)及び前記下翼板(23)を連結する案内柱(24)と、前記上翼板(22)及び前記下翼板(23)の左右側縁部に配されるフランジ部(25)とを有し、前記フランジ部(25)は、前記スライダー(20)の後口からスライダー摺動方向に沿って直線状に延びる直線部(26a) と、前記直線部(26a) の端部から外側に湾曲して延びる湾曲部(26b) とを有し、
前記スライダー止部材(30)は、左右の前記防水性テープ(11)間に跨って配され、前記スライダー(20)の前記上翼板(22)及び前記下翼板(23)間に挿入される挿入基部(34)と、前記挿入基部(34)から前記エレメント列(12)に向けて延出する左右の挿入脚部(35a,35b) と、前記挿入脚部(35a,35b) の先端部外側面に配され、前記フランジ部(25)に圧接する左右のフランジ圧接部(41)と、前記上翼板(22)及び前記下翼板(23)の内面に密接する翼板密接部(38)とを有する防水性スライドファスナー(1) において、
左右の前記フランジ圧接部(41)は、前記スライダー(20)の前記フランジ部(25)の前記湾曲部(26b) に対応して湾曲する圧接湾曲部(41b) と、前記圧接湾曲部(41b) の後口側端部から前記後口へ向けてスライダー摺動方向に沿って直線状に延びる圧接直線部(41a) とをそれぞれ有し、
前記スライダー(20)が閉鎖方向側の摺動限位置に保持された状態にて、前記止部材(30)における左右の前記挿入脚部(35a,35b) 同士が圧接し且つ前記翼板密接部(38)の左右先端部同士が圧接する中央圧接部分(46)と、前記止部材(30)の前記フランジ圧接部(41)が前記フランジ部(25)に圧接する左右の外側圧接部分(47,48) とが形成され、
前記中央圧接部分(46)と左右の前記外側圧接部分(47,48) とは、スライダー摺動方向において、前記フランジ部(25)の前記直線部(26a) と前記湾曲部(26b) との間の境界位置(27)よりも前記スライダー(20)の後口側に延出する後方圧接領域を有し、
前記スライダー(20)が閉鎖方向側の摺動限位置に保持された状態にて、前記スライダー(20)の前記案内柱(24)の後口側端部周面と、当該後口側端部周面の後方に配される前記挿入脚部(35a,35b)の内周面との間に移動許容間隙(45)が形成され、
前記中央圧接部分(46)及び左右の前記外側圧接部分(47,48) の各後方圧接領域のスライダー摺動方向における長さ寸法(L1,L2,L3)は、前記移動許容間隙(45)のスライダー摺動方向における最少長さ寸法(L4)よりも大きく設定されてなる
ことを特徴とする防水性スライドファスナー。
【請求項２】
防水性テープ(11)のテープ側縁部にエレメント列(12)が設けられた左右一対のファスナーストリンガー(10)と、前記エレメント列(12)に沿って摺動するスライダー(20)と、前記エレメント列(12)の閉鎖方向側の端部に隣接して配されるスライダー止部材(30)とを少なくとも有する防水性スライドファスナー(1) にあって、
前記スライダー(20)は、上翼板(22)及び下翼板(23)と、前記上翼板(22)及び前記下翼板(23)を連結する案内柱(24)と、前記上翼板(22)及び前記下翼板(23)の左右側縁部に配されるフランジ部(25)とを有し、
前記スライダー止部材(30)は、左右の前記防水性テープ(11)間に跨って配され、前記スライダー(20)の前記上翼板(22)及び前記下翼板(23)間に挿入される挿入基部(34)と、前記挿入基部(34)から前記エレメント列(12)に向けて延出する左右の挿入脚部(35a,35b) と、前記挿入脚部(35a,35b) の先端部外側面に配され、前記フランジ部(25)に圧接する左右のフランジ圧接部(41)と、前記上翼板(22)及び前記下翼板(23)の内面に密接する翼板密接部(38)とを有する防水性スライドファスナー(1) において、
前記スライダー(20)が閉鎖方向側の摺動限位置に保持された状態にて、前記止部材(30)における左右の前記挿入脚部(35a,35b) 同士が圧接し且つ前記翼板密接部(38)の左右先端部同士が圧接する中央圧接部分(46)が形成され、
前記スライダー(20)が前記摺動限位置から移動して、前記スライダー(20)の前記案内柱(24)が前記スライダー止部材(30)の前記挿入基部(34)から離間し、且つ、前記翼板密接部(38)が前記スライダー(20)の前記上翼板(22)及び前記下翼板(23)と密接する位置に保持された状態においても、前記中央圧接部分(46)が維持されてなる、
ことを特徴とする防水性スライドファスナー。
【請求項３】
前記フランジ部(25)は、前記スライダー(20)の後口からスライダー摺動方向に沿って直線状に延びる直線部(26a) と、前記直線部(26a) の端部から外側に湾曲して延びる湾曲部(26b) とを有し、
左右の前記フランジ圧接部(41)は、前記スライダー(20)の前記フランジ部(25)の前記湾曲部(26b) に対応して湾曲する圧接湾曲部(41b) と、前記圧接湾曲部(41b) の後口側端部から前記後口へ向けてスライダー摺動方向に沿って直線状に延びる圧接直線部(41a) とをそれぞれ有し、
前記スライダー(20)が前記摺動限位置に保持された状態にて、前記止部材(30)の前記フランジ圧接部(41)が前記フランジ部(25)に圧接する左右の外側圧接部分(47,48) が形成され、
前記中央圧接部分(46)と左右の前記外側圧接部分(47,48) とは、スライダー摺動方向において、前記フランジ部(25)の前記直線部(26a) と前記湾曲部(26b) との間の境界位置(27)よりも前記スライダー(20)の後口側に延出する後方圧接領域を有してなる、
請求項２記載の防水性スライドファスナー。
【請求項４】
前記中央圧接部分(46)の前記後方圧接領域のスライダー摺動方向における長さ寸法(L1)と、左右の前記外側圧接部分(47,48) の少なくとも一方の前記後方圧接領域のスライダー摺動方向における長さ寸法(L2)とが、前記フランジ部(25)の前記直線部(26a) のスライダー摺動方向における長さ寸法(L5)よりも小さく設定されてなる請求項１又は３記載の防水性スライドファスナー。
【請求項５】
前記スライダー(20)が閉鎖方向側の摺動限位置に保持された状態にて、前記スライダー(20)の前記案内柱(24)の後口側端部周面と、当該後口側端部周面の後方に配される前記挿入脚部(35a,35b)の内周面との間に移動許容間隙(45)が形成され、
前記中央圧接部分(46)及び左右の前記外側圧接部分(47,48) の各後方圧接領域のスライダー摺動方向における長さ寸法(L1,L2,L3)は、前記移動許容間隙(45)のスライダー摺動方向における最少長さ寸法(L4)よりも大きく設定されてなる、
請求項３記載の防水性スライドファスナー。
【請求項６】
前記中央圧接部分(46)の前記後方圧接領域における前記長さ寸法(L1)と、左右の前記外側圧接部分(47,48) のうちの一方の前記後方圧接領域における前記長さ寸法(L2)とが、左右の前記外側圧接部分(47,48) のうちの他方の前記後方圧接領域における前記長さ寸法(L3)よりも小さく設定されてなる請求項４記載の防水性スライドファスナー。
【請求項７】
前記中央圧接部分(46)の前記後方圧接領域における前記長さ寸法(L1)と前記フランジ部(25)の前記直線部(26a) の前記長さ寸法(L5)との差(D) 、及び、左右の前記外側圧接部分(47,48) のうちの一方の前記後方圧接領域における前記長さ寸法(L2)と前記フランジ部(25)の前記直線部(26a) の前記長さ寸法(L5)との差(D) が、前記エレメント列(12)のファスナーエレメント(13)のスライダー摺動方向における最大長さ寸法の１／３よりも大きく設定されてなる請求項４記載の防水性スライドファスナー。
【請求項８】
前記翼板密接部(38)は、前記挿入基部(34)及び左右の前記挿入脚部(35a,35b) における内側縁部の表裏両面に連続して突設される突条部(38)により形成され、
前記突条部(38)は、左右の前記外側圧接部分(47,48) が前記フランジ部(25)に圧接する状態にて、テープ表裏方向に直交する断面を見たときに前記スライダー(20)の前記案内柱(24)を取り囲むとともに、前記突条部(38)の内側領域を密閉状態に保持してなる、
請求項１又は３記載の防水性スライドファスナー。
【発明の詳細な説明】
【技術分野】
【０００１】
本発明は、防水性スライドファスナーに関し、特に、水などの液体の侵入を防止する防水構造を備えたスライダー止部材を有する防水性スライドファスナーに関する。
【背景技術】
【０００２】
マリンスポーツ等を行う際には、防寒対策や怪我予防対策などのために防水性を備える防水スーツ（保護スーツ）が着用されることが多い。防水スーツとしては、スーツ内部に水を侵入させないタイプのドライスーツや、スーツ内部への水の侵入を許すタイプのウェットスーツなどが知られており、例えばドライスーツは、極寒水域や汚染水域といった過酷な環境で着用されることが多い。【０００３】
また、このような防水スーツには、防水スーツを着脱するとき等に開閉する開閉部又は開口部が設けられており、その開閉部又は開口部には、防水性を備えるスライドファスナー（以下、防水性スライドファスナーと称する）が取り付けられている。【０００４】
防水性スライドファスナーは、一般的に、エラストマーからなる防水層を備えた防水性テープにエレメント列が形成された左右一対のファスナーストリンガーと、エレメント列に沿って摺動可能なスライダーとを有する。このような防水性スライドファスナーでは、左右のエレメント列を噛合させて左右の防水性テープの対向側縁部同士を密接させることにより、左右の防水性テープ間を介して水がテープ表面側からテープ裏面側に（又は、テープ裏面側からテープ表面側に）浸入することを防いでいる。【０００５】
また、防水性スライドファスナーにおけるエレメント列の両端部には、スライダーの摺動を停止させるとともにスライダーの摺動範囲を規定するスライダー止部材（止具とも言う）や、蝶棒、箱棒及び箱体からなる開離嵌挿具が、エレメント列に隣接して配される。ここで、エレメント列の両端部に止部材が配される場合、左右のエレメント列を完全に閉鎖させるときにスライダーが当接するファスナー閉鎖方向側のスライダー止部材（止具）を、第１止部材（上止とも言う）とし、左右のエレメント列を完全に開くときにスライダーが当接するファスナー開離側のスライダー止部を、第２止部材（下止とも言う）とする。【０００６】
例えば特開２００７−８９８９８号公報（特許文献１）には、防水性スライドファスナーの閉鎖方向側に配される第１止部材が開示されている。
この特許文献１に記載されている第１止部材８０は、図８及び図９に示すように、左右のエレメント列の一端部に隣接して、左右の防水性テープ７１に跨って配されている。この第１止部材８０は、防水性テープ７１のテープ表面（第１テープ面）側とテープ裏面（第２テープ面）側に膨出して形成されている。【０００７】
特許文献１の第１止部材８０は、第１止部材８０の前端部に配され、テープ表裏方向の厚さ寸法がスライダー７２の上下翼板間の間隔よりも大きな湾曲状のストッパー部８１と、ストッパー部８１からエレメント列側に向けて延出し、スライダー７２の上下翼板間（エレメント案内路内）に挿入されるスライダー挿入部８２とを有する。【０００８】
第１止部材８０のスライダー挿入部８２は、スライダー挿入部８２を上方から見た正面視において逆Ｕ字状を呈するように形成されている。このスライダー挿入部８２は、左右の防水性テープ７１間に跨って配される挿入基部８３と、挿入基部８３からエレメント列に向けて延びる左右の挿入脚部８４，８５とを有する。【０００９】
また、スライダー挿入部８２には、スライダー挿入部８２がスライダー７２の上下翼板間に挿入されたときに、挿入基部８３と左右の挿入脚部８４，８５とによって囲まれるとともにスライダー７２の案内柱７３が収容される収容空間部８８が形成される。【００１０】
左右の挿入脚部８４，８５の先端部（後端部）における外側縁部には、スライダー７２の左右フランジ部７４に圧接する圧接隆起部８６がそれぞれ配されている。左右の各圧接隆起部８６は、挿入脚部８４，８５の外側端縁よりも更に外側に膨出して形成され、且つ、挿入脚部８４，８５の上面及び下面よりも上下方向（テープ表裏方向）に膨出して形成される。【００１１】
スライダー挿入部８２における挿入基部８３の内側縁部と、左右の挿入脚部８４，８５の内側縁部とには、収容空間部８８を取り囲むようにして上下方向に突出する突条部８７が形成されている。この突条部８７は、スライダー挿入部８２の上面と下面とにそれぞれ突設されており、スライダー挿入部８２がスライダー７２内に挿入されたときに、スライダー７２の上翼板の内面と下翼板の内面とにそれぞれ密接する。【００１２】
特許文献１の第１止部材８０を有する防水性スライドファスナー７０では、スライダー７２を閉鎖方向に摺動させて左右のエレメント列を噛合させることによって、左右の防水性テープ７１の対向側縁部同士を密接させることができる。それにより、左右の防水性テープ７１間で水密性を確保し、水等の液体が左右の防水性テープ７１間を介してテープ表面側からテープ裏面側に（又はその反対方向に）浸入することを防止できる。【００１３】
更に、スライダー７２を閉鎖方向側の摺動限の位置まで摺動させて保持することにより、スライダー７２の案内柱７３が、第１止部材８０の左右の挿入脚部８４，８５の先端部間を通過し、図９に示したように第１止部材８０の収容空間部８８に収容される。それとともに、第１止部材８０に配された上下の突条部８７が、スライダー７２の上翼板の内面と下翼板の内面とにそれぞれ密接する。【００１４】
またこのとき、第１止部材８０の左右の圧接隆起部８６の外側面が、スライダー７２の左右フランジ部７４に当接することにより、左右の挿入脚部８４，８５が内側に向けて押圧される。それによって、左右の挿入脚部８４，８５の先端部同士を圧接させるとともに突条部８７の左右の先端部同士を圧接させる。その結果、突条部８７の内側領域と外側領域とが突条部８７によって遮断され、水等の液体が突条部８７を越えて侵入することを防止できる。【００１５】
従って、上述のような第１止部材８０を有する防水性スライドファスナー７０では、スライダー７２を閉鎖方向側の摺動限位置（前端位置）まで移動させて保持することにより、左右のエレメント列が配されている部分だけでなく、防水性スライドファスナー７０の第１止部材８０が配されているファスナー前端部においても、水の浸入を防止する水密性を確保できる。
【先行技術文献】
【特許文献】
【００１６】
【特許文献１】特開２００７−８９８９８号公報
【発明の概要】
【発明が解決しようとする課題】
【００１７】
例えば上述した特許文献１の第１止部材８０を備えた防水性スライドファスナー７０の場合、スライダー７２を第１止部材８０に当接するまで摺動させて閉鎖方向側の摺動限位置で保持することによって、上述したように、スライダー７２の案内柱７３が収容される第１止部材８０の収容空間部８８を密閉して防水性（水密性）が発揮される。【００１８】
一方、このような防水性スライドファスナー７０において、スライダー７２を閉鎖側の摺動限位置まで摺動させる場合、スライダー７２のエレメント案内路に第１止部材８０の突条部８７が挿入され、その挿入された突条部８７がスライダー７２の上翼板及び下翼板の内面に摺接する。このため、スライダー７２の摺動抵抗が、スライダー７２内に突条部８７が挿入されてから大きくなり、摺動操作が重く感じることがある。その結果、スライダー７２を閉鎖方向側の摺動限位置まで十分に摺動させずに、第１止部材８０の途中で無意識に停止させてしまうことが考えられる。【００１９】
このようにスライダー７２が第１止部材８０の途中の位置で保持される場合、第１止部材８０の左右の圧接隆起部８６がスライダー７２の左右のフランジ部７４に十分に接触しないため、収容空間部８８の密閉状態が形成されない。その結果、防水性スライドファスナー７０が本来備える水密性を適切に発揮させることができなくなる。【００２０】
また、スライダー７２が閉鎖側の摺動限位置に保持されて防水性スライドファスナー７０の水密性が発揮されている状態にあっても、例えばスライダー７２が何らかの弾みで予期せずに移動することにより、スライダー７２の位置が摺動限位置からエレメント列側にずれてしまうことが考えられる。その結果、防水性スライドファスナー７０の水密性を維持することができずに、防水スーツ内へ水の流入を許してしまうことも考えられる。【００２１】
本発明は上記従来の課題に鑑みてなされたものであって、その具体的な目的は、スライダーが、止部材によって定められる所定の摺動限位置から少し内側にずれた位置に保持される場合でも水密性を適切に発揮することが可能に形成され、防水機能の信頼性を向上させた防水性スライドファスナーを提供することにある。
【課題を解決するための手段】
【００２２】
上記目的を達成するために、本発明により提供される防水性スライドファスナーは、基本的な構成として、防水性テープのテープ側縁部にエレメント列が設けられた左右一対のファスナーストリンガーと、前記エレメント列に沿って摺動するスライダーと、前記エレメント列の閉鎖方向側の端部に隣接して配されるスライダー止部材とを少なくとも有する防水性スライドファスナーにあって、前記スライダーは、上翼板及び下翼板と、前記上翼板及び前記下翼板を連結する案内柱と、前記上翼板及び前記下翼板の左右側縁部に配されるフランジ部とを有し、前記フランジ部は、前記スライダーの後口からスライダー摺動方向に沿って直線状に延びる直線部と、前記直線部の端部から外側に湾曲して延びる湾曲部とを有し、前記スライダー止部材は、左右の前記防水性テープ間に跨って配され、前記スライダーの前記上翼板及び前記下翼板間に挿入される挿入基部と、前記挿入基部から前記エレメント列に向けて延出する左右の挿入脚部と、前記挿入脚部の先端部外側面に配され、前記フランジ部に圧接する左右のフランジ圧接部と、前記上翼板及び前記下翼板の内面に密接する翼板密接部とを有する防水性スライドファスナーにおいて、左右の前記フランジ圧接部は、前記スライダーの前記フランジ部の前記湾曲部に対応して湾曲する圧接湾曲部と、前記圧接湾曲部の後口側端部から前記後口へ向けてスライダー摺動方向に沿って直線状に延びる圧接直線部とをそれぞれ有し、前記スライダーが閉鎖方向側の摺動限位置に保持された状態にて、前記止部材における左右の前記挿入脚部同士が圧接し且つ前記翼板密接部の左右先端部同士が圧接する中央圧接部分と、前記止部材の前記フランジ圧接部が前記フランジ部に圧接する左右の外側圧接部分とが形成され、前記中央圧接部分と左右の前記外側圧接部分とは、スライダー摺動方向において、前記フランジ部の前記直線部と前記湾曲部との間の境界位置よりも前記スライダーの後口側に延出する後方圧接領域を有し、前記スライダーが閉鎖方向側の摺動限位置に保持された状態にて、前記スライダーの前記案内柱の後口側端部周面と、当該後口側端部周面の後方に配される前記挿入脚部の内周面との間に移動許容間隙が形成され、前記中央圧接部分及び左右の前記外側圧接部分の各後方圧接領域のスライダー摺動方向における長さ寸法は、前記移動許容間隙のスライダー摺動方向における最少長さ寸法よりも大きく設定されてなることを最も主要な特徴とするものである。
【００２４】
また、本発明により提供される別の防水性スライドファスナーは、基本的な構成として、防水性テープのテープ側縁部にエレメント列が設けられた左右一対のファスナーストリンガーと、前記エレメント列に沿って摺動するスライダーと、前記エレメント列の閉鎖方向側の端部に隣接して配されるスライダー止部材とを少なくとも有する防水性スライドファスナーにあって、前記スライダーは、上翼板及び下翼板と、前記上翼板及び前記下翼板を連結する案内柱と、前記上翼板及び前記下翼板の左右側縁部に配されるフランジ部とを有し、前記スライダー止部材は、左右の前記防水性テープ間に跨って配され、前記スライダーの前記上翼板及び前記下翼板間に挿入される挿入基部と、前記挿入基部から前記エレメント列に向けて延出する左右の挿入脚部と、前記挿入脚部の先端部外側面に配され、前記フランジ部に圧接する左右のフランジ圧接部と、前記上翼板及び前記下翼板の内面に密接する翼板密接部とを有する防水性スライドファスナーにおいて、前記スライダーが閉鎖方向側の摺動限位置に保持された状態にて、前記止部材における左右の前記挿入脚部同士が圧接し且つ前記翼板密接部の左右先端部同士が圧接する中央圧接部分が形成され、前記スライダーが前記摺動限位置から移動して、前記スライダーの前記案内柱が前記スライダー止部材の前記挿入基部から離間し、且つ、前記翼板密接部が前記スライダーの前記上翼板及び前記下翼板と密接する位置に保持された状態においても、前記中央圧接部分が維持されてなることを最も主要な特徴とするものである。【００２５】
このような本発明の防水性スライドファスナーにおいて、前記フランジ部は、前記スライダーの後口からスライダー摺動方向に沿って直線状に延びる直線部と、前記直線部の端部から外側に湾曲して延びる湾曲部とを有し、左右の前記フランジ圧接部は、前記スライダーの前記フランジ部の前記湾曲部に対応して湾曲する圧接湾曲部と、前記圧接湾曲部の後口側端部から前記後口へ向けてスライダー摺動方向に沿って直線状に延びる圧接直線部とをそれぞれ有し、前記スライダーが前記摺動限位置に保持された状態にて、前記止部材の前記フランジ圧接部が前記フランジ部に圧接する左右の外側圧接部分が形成され、前記中央圧接部分と左右の前記外側圧接部分とは、スライダー摺動方向において、前記フランジ部の前記直線部と前記湾曲部との間の境界位置よりも前記スライダーの後口側に延出する後方圧接領域を有することが好ましい。【００２６】
上述した本発明の防水性スライドファスナーにおいて、前記中央圧接部分の前記後方圧接領域のスライダー摺動方向における長さ寸法と、左右の前記外側圧接部分の少なくとも一方の前記後方圧接領域のスライダー摺動方向における長さ寸法とが、前記フランジ部の前記直線部のスライダー摺動方向における長さ寸法よりも小さく設定されることが好ましい。【００２７】
また、前記スライダーが閉鎖方向側の摺動限位置に保持された状態にて、前記スライダーの前記案内柱の後口側端部周面と、当該後口側端部周面の後方に配される前記挿入脚部の内周面との間に移動許容間隙が形成され、前記中央圧接部分及び左右の前記外側圧接部分の各後方圧接領域のスライダー摺動方向における長さ寸法は、前記移動許容間隙のスライダー摺動方向における最少長さ寸法よりも大きく設定されることが好ましい。【００２８】
更に、前記中央圧接部分の前記後方圧接領域における前記長さ寸法と、左右の前記外側圧接部分のうちの一方の前記後方圧接領域における前記長さ寸法とが、左右の前記外側圧接部分のうちの他方の前記後方圧接領域における前記長さ寸法よりも小さく設定されることが好ましい。【００２９】
更にまた、前記中央圧接部分の前記後方圧接領域における前記長さ寸法と前記フランジ部の前記直線部の前記長さ寸法との差、及び、左右の前記外側圧接部分のうちの一方の前記後方圧接領域における前記長さ寸法と前記フランジ部の前記直線部の前記長さ寸法との差が、前記エレメント列のファスナーエレメントのスライダー摺動方向における最大長さ寸法の１／３よりも大きく設定されることが好ましい。【００３０】
また、本発明の防水性スライドファスナーにおいて、前記翼板密接部は、前記挿入基部及び左右の前記挿入脚部における内側縁部の表裏両面に連続して突設される突条部により形成され、前記突条部は、左右の前記外側圧接部分が前記フランジ部に圧接する状態にて、テープ表裏方向に直交する断面を見たときに前記スライダーの前記案内柱を取り囲むとともに、前記突条部の内側領域を密閉状態に保持することが好ましい。
【発明の効果】
【００３１】
本発明に係る防水性スライドファスナーは、少なくとも一方のテープ面に防水層を備える防水性テープのテープ側縁部にエレメント列が形成された左右一対のファスナーストリンガーと、スライダーと、エレメント列の閉鎖方向側端部に隣接して配されるスライダー止部材（第１止部材）とを少なくとも有する。また、スライダーのフランジ部は、スライダーの後口から境界位置までスライダーの摺動方向に沿って直線状に延びる直線部と、その境界位置から外側に湾曲して延びる湾曲部とを少なくとも備える。この場合、スライダーの摺動方向は、防水性テープのテープ長さ方向と同じ方向である。【００３２】
また、本発明の止部材は、左右の防水性テープ間に跨って配される挿入基部と、挿入基部からエレメント列に向けて延出する左右の挿入脚部と、各挿入脚部の先端外側縁部に配され、スライダーのフランジ部に圧接する左右のフランジ圧接部と、上翼板及び下翼板の内面に密接する翼板密接部とを有する。また、止部材における左右のフランジ圧接部は、スライダーのフランジ部の湾曲部に対応して湾曲する圧接湾曲部だけでなく、圧接湾曲部の後口側端部からスライダー摺動方向に沿って直線状に延びる圧接直線部をそれぞれ有する。【００３３】
このように止部材における左右のフランジ圧接部が、直線状に延びる圧接直線部をその後端部に有することにより、スライダーが閉鎖方向側の摺動限位置（以下、閉鎖側の摺動限位置と略記する）に保持される場合だけでなく、スライダーが閉鎖側の摺動限位置から少し内側に離れた所定の範囲内の位置（以下、摺動限近傍位置と称する）に保持される場合でも、止部材における左右のフランジ圧接部がスライダーのフランジ部の直線部に圧接して止部材の左右の挿入脚部を内側に向けて押圧する状態と、その押圧により左右の挿入脚部同士が圧接するとともに翼板密接部の左右先端部同士が圧接する状態とを安定して維持できる。【００３４】
本発明では、このようにスライダーが上述の摺動限近傍位置に保持されていても、止部材がスライダーの案内柱を収容する収容空間部を密閉する状態を確保できる。このため、防水性スライドファスナーの止部材が配される閉鎖方向側のファスナー端部において、水密性を適切に発揮させることができる。従って、本発明の防水性スライドファスナーでは、防水機能の信頼性を従来よりも向上させることができる。【００３５】
更に、本発明の防水性スライドファスナーは、スライダーが閉鎖側の摺動限位置や摺動限近傍位置に保持される場合に、左右のファスナーストリンガー間の密閉性と止部材の収容空間部の密閉性とに優れているため、液体の浸入を防止する水密性だけでなく、気体の侵入を防止する気密性を発揮させることも可能である。【００３６】
このような本発明の防水性スライドファスナーにおいて、スライダーが閉鎖側の摺動限位置に保持された状態において、止部材における左右の挿入脚部同士が圧接し且つ翼板密接部の左右先端部同士が圧接する中央圧接部分と、止部材のフランジ圧接部がフランジ部に圧接する左右の外側圧接部分とが形成される。また、これらの中央圧接部分と左右の外側圧接部分とは、スライダー摺動方向において、フランジ部の直線部と湾曲部との間の境界位置よりもスライダーの後口側に延出する後方圧接領域を有する。【００３７】
このような形態を有する本発明の防水性スライドファスナーであれば、スライダーが閉鎖側の摺動限位置から少し内側に離れた摺動限近傍位置に保持されていても、上述の中央接触部分と左右の外側接触部分とが後方圧接領域をそれぞれ有することにより、中央圧接部分と左右の外側圧接部分とが維持される。従って、収容空間部の密閉状態を摺動限近傍位置でも維持できるため、防水性スライドファスナーの良好な水密性や気密性を安定して発揮させることができる。【００３８】
一方、本発明に係る別の防水性スライドファスナーは、少なくとも一方のテープ面に防水層を備える防水性テープのテープ側縁部にエレメント列が形成された左右一対のファスナーストリンガーと、スライダーと、エレメント列の閉鎖方向側端部に隣接して配されるスライダー止部材（第１止部材）とを少なくとも有する。スライダー止部材は、左右の防水性テープ間に跨って配される挿入基部と、挿入基部からエレメント列に向けて延出する左右の挿入脚部と、各挿入脚部の先端外側縁部に配され、スライダーのフランジ部に圧接する左右のフランジ圧接部と、上翼板及び下翼板の内面に密接する翼板密接部とを有する。【００３９】
また、スライダーが閉鎖側の摺動限位置に保持された状態において、止部材における左右の挿入脚部同士が圧接し且つ翼板密接部の左右先端部同士が圧接する中央圧接部分が形成される。更に、スライダーが閉鎖側の摺動限位置から移動して、スライダーの案内柱が止部材の挿入基部から離間するとともに、止部材の翼板密接部がスライダーの上翼板及び下翼板と密接する位置に保持された状態においても、中央圧接部分が形成（維持）される。【００４０】
これにより、スライダーが閉鎖側の摺動限位置に保持される場合だけでなく、スライダーが閉鎖側の摺動限位置から少し内側に移動して、スライダーの案内柱が止部材の挿入基部から離間するとともに、止部材の翼板密接部がスライダーの上翼板及び下翼板と密接する上述の摺動限近傍位置に保持される場合でも、止部材がスライダーの案内柱を収容する収容空間部を密閉する状態が安定して維持されて、水密性及び気密性を適切に発揮させることができる。このため、本発明では、防水機能の信頼性を従来よりも向上させることができる。【００４１】
このような本発明の防水性スライドファスナーにおいて、スライダーのフランジ部は、スライダーの後口からスライダー摺動方向に沿って直線状に延びる直線部と、直線部の端部から外側に湾曲して延びる湾曲部とを有する。止部材の左右のフランジ圧接部は、スライダーのフランジ部の湾曲部に対応して湾曲する圧接湾曲部と、圧接湾曲部の後口側端部から後口へ向けてスライダー摺動方向に沿って直線状に延びる圧接直線部とをそれぞれ有する。また、スライダーが摺動限位置に保持された状態にて、止部材のフランジ圧接部がフランジ部に圧接する左右の外側圧接部分が形成される。更に、中央圧接部分と左右の外側圧接部分とは、スライダー摺動方向において、フランジ部の直線部と湾曲部との間の境界位置よりもスライダーの後口側に延出する後方圧接領域を有する。【００４２】
このような形態を有する本発明の防水性スライドファスナーであれば、上述の中央接触部分と左右の外側接触部分とが後方圧接領域を有するため、スライダーが閉鎖側の摺動限位置から少し内側に離れた摺動限近傍位置に保持されていても、中央圧接部分と左右の外側圧接部分とが維持される。従って、収容空間部の密閉状態を摺動限近傍位置でも維持できるため、防水性スライドファスナーの良好な水密性や気密性を安定して発揮させることができる。【００４３】
上述した形態を有する本発明の防水性スライドファスナーにおいて、中央圧接部分の後方圧接領域のスライダー摺動方向における長さ寸法と、左右の外側圧接部分の少なくとも一方の後方圧接領域のスライダー摺動方向における長さ寸法とが、フランジ部の直線部のスライダー摺動方向における長さ寸法よりも小さく設定される。これにより、スライダーが閉鎖側の摺動限位置に保持されている状態においては、スライダーのエレメント案内路内に、止部材だけでなく、その止部材に隣接して配されるファスナーエレメントの少なくとも一部を挿入して保持することができる。その結果、例えば防水性スライドファスナーが完全に閉鎖されている状態で、同防水性スライドファスナーにテープ幅方向の外側に向けて引っ張る横引き力が加えられたときに、エレメント案内路内に保持されるファスナーエレメントがスライダーのフランジ部に当接し、エレメント列の端部において左右の防水性テープが密接（圧接）している状態を維持できる。それにより、防水性スライドファスナーの水密性や気密性を適切に安定して発揮させることができる。【００４４】
また本発明において、スライダーが閉鎖方向側の摺動限位置に保持された状態において、スライダーの案内柱の後口側端部周面と、当該後口側端部周面の後方に配される挿入脚部の内周面との間に移動許容間隙が形成される。更に、中央圧接部分及び左右の外側圧接部分の各後方圧接領域のスライダー摺動方向における長さ寸法は、移動許容間隙のスライダー摺動方向における最少長さ寸法よりも大きく設定される。【００４５】
これにより、スライダーが閉鎖側の摺動限位置から移動して離れても、スライダーの案内柱における後口側先端部の周面が左右の挿入脚部と接触するまでは、止部材の外側圧接部分がスライダーのフランジ部に圧接しているとともに、左右の挿入脚部同士及び翼板密接部の左右先端部同士が圧接しているため、防水性スライドファスナーの水密性や気密性を適切に発揮させることができる。【００４６】
更に本発明では、中央圧接部分の後方圧接領域における長さ寸法と、左右の外側圧接部分のうちの一方の後方圧接領域における長さ寸法とが、左右の外側圧接部分のうちの他方の後方圧接領域における長さ寸法よりも小さく設定される。特に、中央圧接部分の後方圧接領域における長さ寸法とフランジ部の直線部の長さ寸法との差、及び、左右の外側圧接部分のうちの一方の後方圧接領域における長さ寸法とフランジ部の直線部の長さ寸法との差が、エレメント列のファスナーエレメントのスライダー摺動方向における最大長さ寸法の１／３よりも大きく、好ましくは１／２よりも大きく設定される。【００４７】
これにより、スライダーが閉鎖側の摺動限位置に保持されている状態において、止部材に隣接して配されるファスナーエレメントを、同ファスナーエレメントの最大長さ寸法の１／４よりも大きい範囲で、好ましくは１／３以上の範囲でスライダーのエレメント案内路内に挿入して保持することが可能である。このため、閉鎖状態の防水性スライドファスナーに横引き力が加えられても、左右の防水性テープが密接（圧接）している状態を安定して維持できる。【００４８】
また本発明において、翼板密接部は、挿入基部及び左右の挿入脚部における内側縁部の表裏両面に連続して突設される突条部により形成される。また、その突条部は、左右の外側圧接部分がフランジ部に圧接する状態において、テープ表裏方向に直交する断面を見たときにスライダーの案内柱を取り囲むとともに、突条部の内側領域を密閉状態に保持する。【００４９】
本発明の翼板密接部が突条部により形成されていることにより、翼板密接部の密接によるスライダーの摺動抵抗の増大を小さく抑える効果が得られる。更に、スライダーが摺動限位置に保持されている状態だけでなく、摺動限近傍位置に保持されて左右の外側圧接部分がフランジ部に圧接している状態であっても、スライダーの案内柱を収容する収容空間部が突条部によって密閉されるため、防水性スライドファスナーの水密性や気密性を適切に発揮させることができる。
【図面の簡単な説明】
【００５０】
【図１】本発明の実施形態に係る防水性スライドファスナーを示す平面図である。
【図２】スライダーが第１止部材に当接する閉鎖側の摺動限位置に保持された状態を示す断面図である。
【図３】図２における第１止部材の左側の圧接隆起部の近傍を拡大して示す部分拡大断面図である。
【図４】図２における第１止部材の右側の圧接隆起部の近傍を拡大して示す部分拡大断面図である。
【図５】図２に示したＶ−Ｖ線における断面図である。
【図６】スライダーが閉鎖側の摺動限位置から少し移動した状態を示す断面図である。
【図７】スライダーが更に移動して左右の挿入脚部が離れた状態を示す断面図である。
【図８】従来の防水性スライドファスナーに配される第１止部材を示す斜視図である。
【図９】従来の防水性スライドファスナーにおいて、スライダーが閉鎖側の摺動限位置に保持された状態を部分的に切り欠いて示す部分断面図である。
【発明を実施するための形態】
【００５１】
以下、本発明の好適な実施の形態について、図面を参照しながら詳細に説明する。なお、本発明は、以下で説明する実施形態に何ら限定されるものではなく、本発明と実質的に同一な構成を有し、かつ、同様な作用効果を奏しさえすれば、多様な変更が可能である。
【００５２】
例えば以下の実施形態では、エレメント列の両端部に隣接して第１止部材及び第２止部材が配されている防水性スライドファスナーについて説明するが、本発明は、エレメント列の開離方向側の端部に隣接して、第２止部材の代わりに開離嵌挿具が設けられている防水性スライドファスナーを含む。また、本発明において、ファスナーエレメントは合成樹脂を射出成形することにより形成されていれば良く、ファスナーエレメントの形状や寸法などは任意に変更することが可能である。
【００５３】
ここで、図１は、本実施形態に係る防水性スライドファスナーを示す平面図である。図２は、本実施形態の防水性スライドファスナーにおいてスライダーが閉鎖側の摺動限位置に保持されている状態を示す断面図であり、図３及び図４は、図２の一部を拡大して示す部分拡大断面図である。図５は、図２に示したＶ−Ｖ線における断面図である。なお、図２の断面図は、図５に示したＩＩ−ＩＩ線における断面を示している。
【００５４】
また、以下の説明において、前後方向とは、防水性テープのテープ長さ方向を指し、スライダーが摺動する摺動方向と同じ直線的な方向を言う。特に、左右のエレメント列を噛合させるようにスライダーを摺動させる閉鎖方向を前方とし、エレメント列の噛合を解除させるようにスライダーを摺動させる開離方向を後方とする。
【００５５】
左右方向とは、防水性テープのテープ幅方向を指し、防水性テープのテープ面に平行で、且つ、テープ長さ方向に直交する方向である。特に、図１に示すような防水性スライドファスナーの平面図における左方向及び右方向を、それぞれ左方及び右方とする。上下方向とは、防水性テープのテープ表裏面に直交するテープ表裏方向を指し、特に、前後方向及び左右方向に直交し、且つ、防水性テープに対してスライダーの引手が配される側の方向を上方とし、その反対側の方向を下方とする。
【００５６】
本実施形態に係る防水性スライドファスナー１は、図１に示すように、防水スーツなどのファスナー被着製品５の開口部５ａ（又は開閉部）に取り付けられて用いられる。図１に示した防水性スライドファスナー１を閉鎖することにより、防水性スライドファスナー１の防水性が発揮されて、防水性スライドファスナー１を介してファスナー被着製品５の内部に水などの液体や空気が侵入することが防止される。
【００５７】
本実施形態の防水性スライドファスナー１は、防水性テープ１１の対向するテープ側縁部にエレメント列１２が形成された左右一対のファスナーストリンガー１０と、左右のエレメント列１２に沿って摺動可能なスライダー２０と、エレメント列１２の閉鎖方向側の端部となる前端部に隣接して配される第１止部材３０（第１スライダー止部材又は上止具とも言う）と、エレメント列１２の開離方向側の端部となる後端部に隣接して配される第２止部材５０（第２スライダー止部材又は下止具とも言う）とを有する。
【００５８】
本実施形態の各ファスナーストリンガー１０は、防水性テープ１１と、防水性テープ１１のテープ側縁部に射出成形された複数の合成樹脂製のファスナーエレメント１３とを有する。左右の各エレメント列１２は、防水性テープ１１のテープ側縁部に、テープ長さ方向に沿って列設された複数のファスナーエレメント１３によって形成されている。
【００５９】
防水性テープ１１は、帯状に織成又は編成されたテープ（ファスナーテープ）のテープ表面（第１テープ面）とテープ裏面（第２テープ面）の両面に、熱可塑性エラストマーからなる防水層が設けられることによって形成されている。なお、本発明では、ファスナーテープの一方のテープ面（例えばテープ表面）のみに防水層を設けて防水性テープ１１を形成することも可能である。
【００６０】
ファスナーエレメント１３は、ポリアセタール、ポリアミド、ポリプロピレン、ポリブチレンテレフタレート、ナイロン、ポリカーボネートなどの熱可塑性樹脂を射出成形することにより、防水性テープ１１の防水層に固着して形成されている。ファスナーエレメント１３は、防水性テープ１１におけるテープ表裏方向の中心位置を基準にして、表裏方向（上下方向）に対称的な形状を有する。
【００６１】
ファスナーエレメント１３は、長円形状の噛合頭部と、噛合頭部から連続して形成され、括れた形状を有する首部と、首部から連続して形成された胴部と、首部及び胴部から上下方向に延出する薄板状の肩部と、胴部のテープ内方側端部から分岐してテープ幅方向に延出する前後一対のヒレ部とを有する。
【００６２】
この場合、ファスナーエレメント１３のヒレ部は、スライダー２０の後述する上フランジ部２５ａと下フランジ部２５ｂとの間に挿入可能な厚さで形成されている。また、噛合頭部の頂端部（先端部）には、噛合相手側のファスナーエレメント１３の肩部と防水性テープ１１のテープ側縁を嵌入するための図示しない嵌入凹部が凹設されている。
【００６３】
本実施形態のスライダー２０は、合成樹脂又は金属により形成されている。また、本実施形態のスライダー２０は、スライダー胴体２１と、スライダー胴体２１に回動可能に保持される図示しない引手とを有する。スライダー胴体２１は、互い平行に配される上翼板２２及び下翼板２３と、上翼板２２及び下翼板２３を幅方向の中央部で連結する案内柱２４と、上翼板２２及び下翼板２３の左右側縁部に配される左右のフランジ部２５と、上翼板２２の上面に配される引手取付部２８とを有する。
【００６４】
この場合、上翼板２２と下翼板２３とは、案内柱２４の前端面の位置よりも更に前方に張り出して形成されている。これにより、後述するようにスライダー２０を閉鎖側の摺動限位置まで摺動させたときに、第１止部材３０の後述する挿入基部３４を、スライダー２０の案内柱２４よりも前方領域で上翼板２２と下翼板２３との間に円滑に挿入することができる。
【００６５】
また、スライダー胴体２１のフランジ部２５は、上翼板２２の左右側縁部に垂設される左右の上フランジ部２５ａと、下翼板２３の左右側縁部に立設される左右の下フランジ部２５ｂとを備える。上フランジ部２５ａと下フランジ部２５ｂとの間には、防水性テープ１１を挿通させるテープ挿通間隙が形成されている。
【００６６】
このスライダー胴体２１には、案内柱２４を間に挟むようにして左右の肩口が設けられている。また、スライダー胴体２１の後端には後口が設けられている。更に、スライダー胴体２１内には、上翼板２２、下翼板２３、及びフランジ部２５に囲まれるようにして、左右の肩口と後口とを連通する略Ｙ字形状のエレメント案内路が形成されている。
【００６７】
本実施形態のスライダー２０において、各フランジ部２５（すなわち、左右の上フランジ部２５ａと左右の下フランジ部２５ｂ）は、図２に示したように、スライダー２０の後口からスライダー２０の摺動方向に沿って直線状に延びる後方直線部２６ａと、後方直線部２６ａの前端から外側に湾曲して延びる湾曲部２６ｂと、湾曲部２６ｂの前端からスライダー２０の摺動方向に対して傾斜した方向に直線状に延びる中間直線部２６ｃと、中間直線部２６ｃの前端から湾曲しながら延びる肩口側先端部２６ｄとを有する。
【００６８】
この場合、フランジ部２５の後方直線部２６ａは、平行部とも呼ばれることもある。また、フランジ部２５における後方直線部（平行部）２６ａと湾曲部２６ｂとの境界部分をフランジ境界部とし、そのフランジ境界部のスライダー摺動方向における位置を境界位置２７として図２に一点鎖線で図示する。この境界位置２７は、後方直線部２６ａに対して、湾曲部２６ｂ（特に、湾曲部２６ｂの内側面）が外側に湾曲し始めた箇所と言い換えることができる。
【００６９】
本実施形態の第２止部材５０は、熱可塑性エラストマーを射出成形することにより、防水性テープ１１のテープ表面とテープ裏面の両面に膨出して形成されている。この第２止部材５０は、スライダー２０の摺動範囲の開離方向側の摺動限位置（後端限位置）を定めるように、エレメント列１２の後端部に隣接して配される。
【００７０】
また、第２止部材５０は、スライダー２０を当接させて停止させる本体部５１と、本体部５１から下方に延出する延出部５２とを有する。この場合、本体部５１は、平面視にて台形状を呈する形態を有するとともに、ファスナーエレメント１３よりもテープ表裏方向の厚さ寸法を大きくして形成される。延出部５２は、一定のテープ幅方向の幅寸法を有して、テープ長さ方向に沿って配されている。また、延出部５２は、テープ表裏方向の厚さ寸法とテープ幅方向の幅寸法とを本体部５１よりも小さくして形成される。
【００７１】
本実施形態の防水性スライドファスナー１において特徴的な形態を有する第１止部材３０は、熱可塑性エラストマーを射出成形することにより、防水性テープ１１のテープ表面とテープ裏面の両面に膨出して形成されている。この第１止部材３０は、スライダー２０の摺動範囲の閉鎖方向側の限界位置（前端限位置）を定めるように、エレメント列１２の前端部に隣接して配される。
【００７２】
本実施形態の第１止部材３０は、左右の防水性テープ１１に跨って配されるとともにスライダー２０の上翼板２２及び下翼板２３間の間隔よりも大きな厚さ寸法を有する厚肉連結部３１と、厚肉連結部３１から下方に延出し、スライダー２０の上翼板２２及び下翼板２３間（エレメント案内路内）に挿入されるスライダー挿入部３３と、防水性テープ１１のテープ裏面側で厚肉連結部３１から前方に延出して配されるシール部３２とを有する。ここで、厚さ寸法とは、防水性テープ１１のテープ表裏方向における寸法のことを言う。
【００７３】
この第１止部材３０における厚肉連結部３１は、スライダー２０の上翼板２２及び下翼板２３の前端縁の形状に対応するように、平面視において前方へ向けて少し凸状に湾曲した形状を有する。なお、この厚肉連結部３１は、図５に示すように、スライダー２０が閉鎖側の摺動限位置に保持されていても、そのスライダー２０とは接触しないように設けられているが、本発明の厚肉連結部３１は、スライダー２０の上翼板２２及び下翼板２３を当接させてスライダー２０を停止させるストッパー部として形成されていても良い。
【００７４】
本実施形態の厚肉連結部３１は、スライダー挿入部３３（特に、後述する挿入基部３４）よりも厚さ寸法を大きくして設けられており、厚肉連結部３１とスライダー挿入部３３との間には段差がテープ表面側とテープ裏面側とに形成されている。本実施形態のシール部３２は、防水性テープ１１のテープ裏面側において左右の防水性テープ１１に跨って配されており、厚肉連結部３１よりも前方の領域で、左右の防水性テープ１１間から液体が漏れることを防止している。
【００７５】
第１止部材３０におけるスライダー挿入部３３は、平面視にて逆Ｕ字状を呈する形状を有しており、後述する左右の挿入脚部３５ａ，３５ｂの後端部を開閉することが可能な弾性を備える。このスライダー挿入部３３のテープ表裏方向における厚さ寸法は、スライダー２０の上翼板２２及び下翼板２３間に挿入可能な大きさに設定されている。
【００７６】
本実施形態のスライダー挿入部３３は、厚肉連結部３１に連結するとともに左右の防水性テープ１１間に跨るようにテープ幅方向に延びて配される挿入基部３４と、挿入基部３４から分岐して左右のエレメント列１２に向けてそれぞれ延びる左側の挿入脚部３５ａ及び右側の挿入脚部３５ｂと、挿入基部３４及び左右の挿入脚部３５ａ，３５ｂにおける内側縁部の表裏両面に突設される密接突条部３８とを有する。また、スライダー挿入部３３には、スライダー２０が閉鎖側の摺動限位置に保持された状態において挿入基部３４と左右の挿入脚部３５ａ，３５ｂとに包囲される収容空間部３９が形成され、この収容空間部３９にはスライダー２０の案内柱２４が収容される。
【００７７】
スライダー挿入部３３における左右の挿入脚部３５ａ，３５ｂは、挿入基部３４から相互に異なる長さで形成されている。例えば本実施形態の場合、左右のエレメント列１２において最も前端に配されるファスナーエレメント１３が左側の防水性テープ１１に設けられているため、左側の挿入脚部３５ａが、右側の挿入脚部３５ｂよりも短く形成されている。なお、本発明では、左側の挿入脚部３５ａを右側の挿入脚部３５ｂよりも長く形成しても良いし、左右の挿入脚部３５ａ，３５ｂを同じ長さで形成しても良い。
【００７８】
左右の各挿入脚部３５ａ，３５ｂは、一定の厚さを有する脚片本体部３６ａ，３６ｂと、挿入脚部３５ａ，３５ｂの先端部（後端部）の外側縁部に配され、スライダー２０の上フランジ部２５ａと下フランジ部２５ｂとに圧接する圧接隆起部３７ａ，３７ｂとをそれぞれ有する。ここで、挿入脚部３５ａ，３５ｂの先端部とは、エレメント列１２側の端部（後端部）を言う。
【００７９】
圧接隆起部３７ａ，３７ｂは、脚片本体部３６ａ，３６ｂよりも外側に膨らんで配されるとともに、脚片本体部３６ａ，３６ｂよりも大きな厚さ寸法を有する。また、圧接隆起部３７ａ，３７ｂの外側面は、スライダー２０が閉鎖側の摺動限位置に保持されるときに圧接するフランジ圧接面（フランジ圧接部）４１となる。この場合、スライダー２０の上フランジ部２５ａと下フランジ部２５ｂとが第１止部材３０の圧接隆起部３７ａ，３７ｂに当接（圧接）してそれ以上に前方へ移動できない位置が、スライダー２０の閉鎖方向側の摺動限位置となる。
【００８０】
この場合、圧接隆起部３７ａ，３７ｂは、図２〜図４に示したように、スライダー２０の上フランジ部２５ａ及び下フランジ部２５ｂの接触対象部分（すなわち、上フランジ部２５ａ及び下フランジ部２５ｂにおける後方直線部２６ａ、湾曲部２６ｂ、及び中間直線部２６ｃ）の形状に対応する形状を有する。このため、左右の圧接隆起部３７ａ，３７ｂの外側面により形成されるフランジ圧接部４１は、フランジ部２５の後方直線部２６ａに圧接する第１圧接直線部４１ａと、フランジ部２５の湾曲部２６ｂに圧接する圧接湾曲部４１ｂと、フランジ部２５の中間直線部２６ｃに圧接する第２圧接直線部４１ｃとを有する。
【００８１】
左右のフランジ圧接部４１の第１圧接直線部４１ａは、圧接湾曲部４１ｂの後端からスライダー２０の摺動方向（テープ長さ方向）に沿って直線状に後方へ延びている。圧接湾曲部４１ｂは、左右のフランジ圧接部４１間の間隔を後方へ漸減させるように湾曲して形成される。第２圧接直線部４１ｃは、圧接湾曲部４１ｂの前端からスライダー２０の摺動方向（テープ長さ方向）に対して斜めに傾斜した方向に沿って直線状に延びている。
【００８２】
また、本実施形態の挿入脚部３５ａ，３５ｂは、スライダー２０が閉鎖側の摺動限位置に保持されるときにスライダー２０の上フランジ部２５ａ及び下フランジ部２５ｂに挿入脚部３５ａ，３５ｂの圧接隆起部３７ａ，３７ｂのみが接触しており、圧接隆起部３７ａ，３７ｂ以外の挿入脚部３５ａ，３５ｂの部分は、上フランジ部２５ａ及び下フランジ部２５ｂに接触しない非接触部に形成されている。
【００８３】
左右の挿入脚部３５ａ，３５ｂの先端部（後端部）は、左右の圧接隆起部３７ａ，３７ｂがスライダー２０の上フランジ部２５ａ及び下フランジ部２５ｂに圧接して各挿入脚部３５ａ，３５ｂが内側に向けて押圧されることにより、左右の挿入脚部３５ａ，３５ｂが相互に圧接する内側圧接面（内側圧接部）４３を有する。この場合、左右の挿入脚部３５ａ，３５ｂに配される内側圧接面４３は、左右の防水性テープ１１の対向するテープ側面と略同一面を形成する。
【００８４】
更に、左右の挿入脚部３５ａ，３５ｂは、平面視において内側に向けて凸状に湾曲する内側湾曲面４４をそれぞれ有しており、この内側湾曲面４４は、上述の内側圧接面４３から挿入基部３４側に向けて連続して配されている。この内側湾曲面４４が設けられていることにより、後述するように、スライダー２０を閉鎖側の摺動限位置からエレメント列１２の開離方向に向けて摺動させるときにスライダー２０の摺動抵抗を軽減させることが期待できる。
【００８５】
なお本実施形態では、左側の挿入脚部３５ａにおける第１圧接直線部４１ａの外側面から内側圧接面４３までのテープ幅方向における幅寸法と、右側の挿入脚部３５ｂにおける第１圧接直線部４１ａの外側面から内側圧接面４３までのテープ幅方向における幅寸法との和（すなわち、左右の挿入脚部３５ａ，３５ｂの第１圧接直線部４１ａが配される部分の幅寸法の合計）が、スライダー２０の後口側端部における左右のフランジ部２５の後方直線部２６ａ間の間隔よりも僅かに大きくなるように設定されている。これにより、スライダー２０が閉鎖側の摺動限位置に移動したときに、同スライダー２０の左右のフランジ部２５と第１止部材３０の左右の圧接隆起部３７ａ，３７ｂとを安定して圧接させることができ、且つ、左右の挿入脚部３５ａ，３５ｂを内側に向けて安定して押圧することができる。
【００８６】
またこの場合において、スライダー２０のフランジ部２５における上述した後方直線部２６ａとは、フランジ部２５において、左右のフランジ部２５間の間隔（すなわち、左側のフランジ部２５の内側面から右側のフランジ部２５の内側面までのテープ幅方向における寸法）が、上述した「左右の挿入脚部３５ａ，３５ｂの第１圧接直線部４１ａが配される部分の幅寸法の合計」の大きさ以下となる領域の部分のことを言う。このため、フランジ部２５の後方直線部２６ａの前端部には、僅かに外側に湾曲した部分を含むこともある。
【００８７】
また本発明において、左右の挿入脚部３５ａ，３５ｂは、上述したようなスライダー２０の上フランジ部２５ａと下フランジ部２５ｂに圧接するフランジ圧接面（フランジ圧接部）４１をそれぞれ備えていれば、各挿入脚部は上述のような圧接隆起部３７ａ，３７ｂを備えずに、挿入脚部の全体が一定の厚さを有して形成されていても良い。このように挿入脚部の全体が一定の厚さで形成される場合には、当該挿入脚部の先端部外側面が、スライダー２０の上フランジ部２５ａ及び下フランジ部２５ｂに圧接するフランジ圧接面（フランジ圧接部）４１となる。
【００８８】
本実施形態のスライダー挿入部３３における密接突条部３８は、挿入基部３４及び左右の挿入脚部３５ａ，３５ｂの内側縁部に連続して周設されている。また、この密接突条部３８は、挿入基部３４及び左右の挿入脚部３５ａ，３５ｂの表面及び裏面に、スライダー２０の上翼板２２及び下翼板２３に圧接可能な所定の高さ寸法で突設されている。この場合、密接突条部３８は、当該密接突条部３８の先端部（後端部）を除いて、挿入基部３４及び左右の挿入脚部３５ａ，３５ｂの内側縁から離れた位置に、当該内側縁に沿うようにして配されている。
【００８９】
なお、本実施形態において、密接突条部３８の大きさ（幅）は、任意に変更することが可能である。また本実施形態では、連続する１本の密接突条部３８がスライダー挿入部３３の表面と裏面にそれぞれ突設されているが、本発明では、スライダー挿入部３３の表面及び裏面に、連続する複数本の密接突条部が並ぶようにそれぞれ突設されていても良い。更に本発明では、スライダー挿入部３３に密接突条部を設けずに、挿入基部３４と左右の挿入脚部３５ａ，３５ｂとが、それらの表面及び裏面をスライダー２０の上翼板２２及び下翼板２３に全体的に密接させるような一定の高さ寸法（厚さ寸法）をもって形成されていても良い。この場合、挿入基部３４及び左右の挿入脚部３５ａ，３５ｂの全体が、上翼板２２及び下翼板２３に密接する翼板密接部を形成する。
【００９０】
また、密接突条部３８の左右の先端部は、密接突条部３８の高さ寸法を後方に向けて漸減させるように下り傾斜する傾斜面を有する。これにより、密接突条部３８をスライダー２０のエレメント案内路内に挿入するときに、密接突条部３８の先端部がスライダー２０の上翼板２２及び下翼板２３に引っ掛かることを抑制し、スライダー２０の操作性を向上させることができる。
【００９１】
更に、本実施形態の密接突条部３８における左右の先端部（後端部）には、左右の挿入脚部３５ａ，３５ｂの内側圧接面４３と同一平面を形成し、且つ、左右の圧接隆起部３７ａ，３７ｂがスライダー２０の上フランジ部２５ａ及び下フランジ部２５ｂに圧接することによって相互に圧接する内側圧接面（内側圧接部）４３が配されている。
【００９２】
これにより、スライダー２０が閉鎖側の摺動限位置まで移動して第１止部材３０の左右の圧接隆起部３７ａ，３７ｂがスライダー２０の上フランジ部２５ａ及び下フランジ部２５ｂに圧接したときに、密接突条部３８の左右の先端部が左右の挿入脚部３５ａ，３５ｂの先端部とともに互いに圧接し、スライダー２０の案内柱２４を収容する収容空間部３９を隙間が生じないように包囲することができる。その結果、収容空間部３９を、水などの液体も空気も侵入しない密閉された状態にすることができる。
【００９３】
このような本実施形態の防水性スライドファスナー１において、スライダー２０を閉鎖方向に摺動させて、図２に示すように、スライダー２０の上フランジ部２５ａ及び下フランジ部２５ｂが第１止部材３０の左右の圧接隆起部３７ａ，３７ｂに圧接する閉鎖側の摺動限位置でスライダー２０を停止させる。
【００９４】
この場合、第１止部材３０のスライダー挿入部３３がスライダー２０のエレメント案内路内に挿入され、且つ、スライダー挿入部３３の密接突条部３８の頂端面（上端面及び下端面）がスライダー２０の上翼板２２の内面及び下翼板２３の内面に密接する。それとともに、スライダー２０の案内柱２４の前端面が第１止部材３０の挿入基部３４の内側縁（内側縁面）に当接する。またこのとき、スライダー２０の案内柱２４における後口側に向いた後端部周面が、その後方に配される挿入脚部３５ａ，３５ｂの後端部（特に、後端部の上述した内側湾曲面４４）から離間して、両者の間には、スライダー２０の案内柱２４が移動可能な移動許容間隙４５が形成される。
【００９５】
更に、スライダー２０が上述の摺動限位置で保持される場合、図２〜図４に示すように、第１止部材３０の左右の圧接隆起部３７ａ，３７ｂとスライダー２０の上フランジ部２５ａ及び下フランジ部２５ｂとが圧接している部分となる左右の外側圧接部分４７，４８が形成される。それとともに、左右の外側圧接部分４７，４８の間には、左右の挿入脚部３５ａ，３５ｂの内側圧接面４３が互いに圧接しているとともに密接突条部３８の左右先端部が互いに圧接している部分となる中央圧接部分４６が形成される。
【００９６】
このとき、上述した中央圧接部分４６と左右の外側圧接部分４７，４８とは、図２に示した上フランジ部２５ａ及び下フランジ部２５ｂにおける上述の境界位置２７よりもスライダー２０の後口側に直線状に延びる後方圧接領域を有する。特にこの場合、中央圧接部分４６の後方圧接領域のスライダー摺動方向における長さ寸法Ｌ１と、左右の外側圧接部分４７，４８の後方圧接領域のスライダー摺動方向における長さ寸法Ｌ２，Ｌ３とは、スライダー２０の案内柱２４と挿入脚部３５ａ，３５ｂの後端部との間に形成される移動許容間隙４５のスライダー摺動方向における最少長さ寸法Ｌ４よりも大きく設定されている。
【００９７】
これにより、例えば図６を参照しながら後述するように、スライダー２０を閉鎖側の摺動限位置からエレメント列１２の開離方向に向けて摺動させても、同スライダー２０の案内柱２４が左右の挿入脚部３５ａ，３５ｂに接触するまでは、左右の圧接隆起部３７ａ，３７ｂがスライダー２０の上フランジ部２５ａ及び下フランジ部２５ｂに圧接して、左右の外側圧接部分４７，４８が形成される状態が維持される。それとともに、左右の挿入脚部３５ａ，３５ｂの先端部同士及び密接突条部３８の左右先端部同士が圧接して、中央圧接部分４６が形成される状態が維持される。このため、収容空間部３９の密閉状態を安定して保持できる。この状態で、スライダー２０の案内柱２４の前端面と挿入基部３４との間に形成される隙間のスライダー摺動方向における大きさは、１．０ｍｍ〜２．０ｍｍである。この場合、案内柱２４と挿入基部３４との間の隙間の大きさは、実際に計測することに替えて、スライダー２０を上述の摺動限位置から後方（エレメント列１２の開離方向）に向けて移動させる距離で置き換えても良い。
【００９８】
更に、左右の外側圧接部分４７，４８は、図２に示した上フランジ部２５ａ及び下フランジ部２５ｂにおける上述の境界位置２７よりもスライダー２０の肩口側に延びる前方圧接領域を有する。この前方圧接領域は、左右の挿入脚部３５ａ、３５ｂの内側面が互いに接触した状態で、左の挿入脚部３５ａの外側面で左のフランジ部２５に接触する箇所から右の挿入脚部３５ｂの外側面で右のフランジ部２５に接触する箇所までのテープ幅方向における寸法が、左右のフランジ部２５の湾曲部２６ｂにおける対応する部分間のテープ幅方向における寸法以上の大きさとなる部分である。
【００９９】
この場合、上述した前方圧接領域のスライダー摺動方向における長さ寸法Ｌ７に、左側の外側圧接部分４７の後方圧接領域のスライダー摺動方向における長さ寸法Ｌ２を加算した合計の寸法は、移動許容間隙４５のスライダー摺動方向における最少長さ寸法Ｌ４よりも大きい。これにより、スライダー２０がエレメント列１２の開離方向に向けて所定の範囲内で移動しても、収容空間部３９の密閉状態を保持して水密性を維持することが可能となる。特にこの場合、左側の外側圧接部分４７の後方圧接領域における長さ寸法Ｌ２自体が、移動許容間隙４５の最少長さ寸法Ｌ４よりも大きいことがより好ましい。本実施形態において、前方圧接領域の長さ寸法Ｌ７は、２．５ｍｍ以上５．０ｍｍ以下に設定される。
【０１００】
更に本実施形態において、左右の挿入脚部３５ａ，３５ｂ同士が圧接し且つ密接突条部３８の左右先端部同士が圧接する中央圧接部分４６も、境界位置２７よりもスライダー２０の肩口側に延びる前方圧接領域を有する。この場合、中央圧接部分４６の前方圧接領域のスライダー摺動方向における長さ寸法は、左右の外側圧接部分４７，４８の前方圧接領域の長さ寸法Ｌ７以下の大きさとなる。
【０１０１】
また本実施形態の第１止部材３０では、図２に示したように、スライダー２０が閉鎖側の摺動限位置で保持されている状態のときに、中央圧接部分４６の後方圧接領域における長さ寸法Ｌ１と、左側の外側圧接部分４７の後方圧接領域における長さ寸法Ｌ２とが、右側の外側圧接部分４８の後方圧接領域における長さ寸法Ｌ３よりも小さく設定されているとともに、フランジ部２５の後方直線部２６ａのスライダー摺動方向における長さ寸法Ｌ５よりも小さく設定されている。
【０１０２】
特にこの場合、中央圧接部分４６及び左側の外側圧接部分４７における後方圧接領域の長さ寸法Ｌ１，Ｌ２と、フランジ部２５の後方直線部２６ａの長さ寸法Ｌ５との差Ｄは、ファスナーエレメント１３のスライダー摺動方向における最大長さ寸法の１／３よりも大きく、好ましくは１／２よりも大きく設定されている。
【０１０３】
以上のような本実施形態の防水性スライドファスナー１では、スライダー２０を第１止部材３０に向けて摺動させることにより、左右のエレメント列１２が噛み合わせられ、それによって、左右の防水性テープ１１を相互に密接させることができる。
【０１０４】
更に、スライダー２０を閉鎖側の摺動限位置まで摺動させて保持することにより、図２に示したように、第１止部材３０のスライダー挿入部３３がスライダー２０のエレメント案内路内に挿入されるとともに、スライダー２０の案内柱２４が第１止部材３０の左右の挿入脚部３５ａ，３５ｂの後端部間を通って収容空間部３９内に収容される。またこのとき、第１止部材３０の密接突条部３８がスライダー２０の上翼板２２の内面及び下翼板２３の内面に密接する。
【０１０５】
更に、スライダー２０を閉鎖側の摺動限位置まで摺動したときに、スライダー２０のフランジ部２５（すなわち、上フランジ部２５ａ及び下フランジ部２５ｂ）が第１止部材３０の圧接隆起部３７ａ，３７ｂの外側面（フランジ圧接面４１）に圧接して左右の外側圧接部分４７，４８が形成されるとともに、スライダー２０の案内柱２４の前端面が第１止部材３０の挿入基部３４の内側縁に当接する。
【０１０６】
また同時に、スライダー２０のフランジ部２５と第１止部材３０の左右の圧接隆起部３７ａ，３７ｂとが圧接することにより、左右の挿入脚部３５ａ，３５ｂが内側に向けて押圧され、それによって、挿入脚部３５ａ，３５ｂの後端部同士が圧接し、且つ密接突条部３８の左右後端部同士が圧接した中央圧接部分４６が形成される。
【０１０７】
その結果、スライダー２０の案内柱２４を収容した収容空間部３９と、密接突条部３８よりも外側の領域とが、スライダー２０の上翼板２２及び下翼板２３に密接する密接突条部３８によって遮断され、収容空間部３９は、水などの液体も空気も侵入しない密閉された状態となる。それによって、ファスナー被着製品５の開口部５ａに取り付けられている本実施形態の防水性スライドファスナー１は、ファスナー被着製品５の内部に水などの液体や空気が侵入することを防止する水密性や気密性を適切に発揮できる。
【０１０８】
またこのとき、本実施形態の第１止部材３０では、上述の中央圧接部分４６と左右の外側圧接部分４７，４８とが、フランジ境界位置２７よりも後方に延びる後方圧接領域をそれぞれ有しており、各後方圧接領域の長さ寸法Ｌ１，Ｌ２，Ｌ３は、上述した移動許容間隙４５における最少長さ寸法Ｌ４よりも大きく設定されている。
【０１０９】
本実施形態の一例として、上記長さ寸法Ｌ１〜Ｌ４について具体的な寸法を示すと、中央圧接部分４６における後方圧接領域の長さ寸法Ｌ１と、左側の外側圧接部分４７における後方圧接領域の長さ寸法Ｌ２とは、同じ大きさの２．３ｍｍに設定されている。右側の外側圧接部分４８における後方圧接領域の長さ寸法Ｌ３は、３．７ｍｍに設定されている。また、案内柱２４と左右の挿入脚部３５ａ，３５ｂの後端部との間の移動許容間隙４５における最少長さ寸法Ｌ４は、２．０ｍｍに設定されている。なお本発明において、長さ寸法Ｌ１〜Ｌ４の具体的な大きさは限定されず、任意に変更することが可能である。例えば、上述の長さ寸法Ｌ１と長さ寸法Ｌ２とは、上述の長さ寸法Ｌ４よりも大きければ、互いに異なる大きさに設定されていても良い。
【０１１０】
上述のように長さ寸法Ｌ１〜Ｌ４が設定されていることにより、例えば閉鎖側の摺動限位置に保持されているスライダー２０が何かの弾みで予期せずに摺動してスライダー２０の案内柱２４が第１止部材３０の挿入基部３４の内側縁から少し離れてしまった場合や、スライダー２０を第１止部材３０に向けて摺動させる際にスライダー２０を摺動限位置まで十分に摺動させずに第１止部材３０の途中で無意識に停止させてしまった場合でも、スライダー２０が閉鎖側の摺動限位置から所定の範囲（本実施形態の場合は２ｍｍ）内の摺動限近傍位置に保持されていれば、図６に示したように、中央圧接部分４６の圧接状態と左右の外側圧接部分４７，４８の圧接状態とが維持される。
【０１１１】
言い換えると、スライダー２０の案内柱２４の前端面が第１止部材３０の挿入基部３４の内側縁から離間した離間距離が、スライダー２０が摺動限位置にあるときの上述した移動許容間隙４５の最少長さ寸法Ｌ４以下となる位置にスライダー２０が保持されていれば、スライダー２０の上フランジ部２５ａ及び下フランジ部２５ｂと第１止部材３０の左右の圧接隆起部３７ａ，３７ｂとが互いに圧接して、左右の外側圧接部分４７，４８が形成される状態が維持される。また同時に、挿入脚部３５ａ，３５ｂの後端部同士が圧接しているとともに密接突条部３８の左右後端部同士が圧接して、中央圧接部分４６が形成される状態が維持される。
【０１１２】
その結果、防水性スライドファスナー１の水密性や気密性を安定して発揮させ続けることができる。従って、本実施形態の場合、スライダー２０を閉鎖側の摺動限位置からエレメント列１２の開離方向に向けて２ｍｍ以下の距離で摺動させても、水密性や気密性が安定して確保される。
【０１１３】
以上のような本実施形態の防水性スライドファスナー１は、ファスナー被着製品５の開口部５ａ（又は開閉部）に取り付けられた場合、スライダー２０が閉鎖側の摺動限位置や、摺動限位置から２ｍｍ以内の摺動限近傍位置に保持されることにより、水密性や気密性を発揮させることができる。このため、防水性スライドファスナー１が備える防水機能の信頼性が高く、防水性スライドファスナー１を介してファスナー被着製品５の内部に水などの液体や空気が侵入することを、従来よりも効果的に防止できる。このような本実施形態の防水性スライドファスナー１は、例えばスーツ内部に水を侵入させないドライスーツなどに対してより好適に用いられる。
【０１１４】
また、本実施形態の防水性スライドファスナー１では、図２に示したようにスライダー２０が閉鎖側の摺動限位置に保持されている状態において、中央圧接部分４６及び左右の外側圧接部分４７，４８における各後方圧接領域の長さ寸法Ｌ１，Ｌ２，Ｌ３が、スライダー２０の上翼板２２及び下翼板２３の前端縁と第１止部材３０における密接突条部３８の内壁面との間のスライダー摺動方向における最少長さ寸法Ｌ６以下の大きさに設定されている。
【０１１５】
例えば閉鎖側の摺動限位置に保持されているスライダー２０が、上述した最少長さ寸法Ｌ６に相当する距離を越えて摺動した場合、密接突条部３８の一部が上翼板２２の内面及び下翼板２３の内面に密接しなくなり、収容空間部３９の密閉状態が解除される。本実施形態の第１止部材３０では、密接突条部３８の一部が上翼板２２の内面及び下翼板２３の内面が密接しなくなって密閉状態が解除された状態のときまで、中央圧接部分４６の圧接状態と、左右の外側圧接部分４７，４８の圧接状態とを維持する必要はない。
【０１１６】
従って、スライダー２０が閉鎖側の摺動限位置に保持されている状態において、中央圧接部分４６及び左右の外側圧接部分４７，４８における各後方圧接領域の長さ寸法Ｌ１，Ｌ２，Ｌ３は、上述したように、上翼板２２及び下翼板２３の前端縁と密接突条部３８の内壁面との間のスライダー摺動方向における最少長さ寸法Ｌ６以下の大きさに設定されている。
【０１１７】
更に本実施形態では、スライダー２０が閉鎖側の摺動限位置に保持されている状態において、中央圧接部分４６及び左側の外側圧接部分４７における後方圧接領域の長さ寸法Ｌ１，Ｌ２と、フランジ部２５の後方直線部２６ａの長さ寸法Ｌ５との差Ｄは、上述したように、ファスナーエレメント１３のスライダー摺動方向における最大長さ寸法の１／３よりも大きく、好ましくは１／２よりも大きく設定されている。
【０１１８】
これにより、図２に示したように、閉鎖側の摺動限位置に保持されているスライダー２０のエレメント案内路内に、エレメント列１２の最も前端に配されるファスナーエレメント１３のスライダー摺動方向における１／４よりも大きい部分を、好ましくはファスナーエレメント１３のスライダー摺動方向における１／３以上の部分を挿入して保持することが可能である。
【０１１９】
このように最も前端に配されるファスナーエレメント１３の一部をスライダー２０のエレメント案内路内に保持することにより、例えばスライダー２０が閉鎖側の摺動限位置に保持されて防水性スライドファスナー１が完全に閉鎖されている状態において横引き力が加えられた場合でも、左右のエレメント列１２と第１止部材３０との間の部分において、左右の防水性テープ１１間に隙間が形成されることを適切に防止し、防水性スライドファスナー１の水密性や気密性を安定して維持できる。
【０１２０】
更に、本実施形態の防水性スライドファスナー１では、図６に示したようなスライダー２０の案内柱２４の後端部周面が左右の挿入脚部３５ａ，３５ｂに接触している状態から、図７に示したように、スライダー２０をエレメント列１２の開離方向に向けて更に摺動させる場合、第１止部材３０の左右の挿入脚部３５ａ，３５ｂが、スライダー２０の案内柱２４によって案内されながらスライダー２０の肩口側に相対的に移動する。
【０１２１】
それによって、左右の挿入脚部３５ａ，３５ｂの後端部が相互に離れるとともに、密接突条部３８の左右の後端部も相互に離れて、左右の挿入脚部３５ａ，３５ｂの後端部間に間隙が形成される。更にこの間隙は、スライダー２０の摺動距離の増大によって、スライダー２０の案内柱２４が通過可能な大きさに次第に拡大する。このように左右の挿入脚部３５ａ，３５ｂの後端部間に間隙が形成されることにより、収容空間部３９の密閉状態が解除されて水密性や気密性が発揮されない状態となる。
【０１２２】
このとき、左右の挿入脚部３５ａ，３５ｂは、上述したように内側圧接面４３から挿入基部３４側に向けて連続して配されるとともに平面視において凸状に湾曲する内側湾曲面４４を有する。これにより、第１止部材３０の左右の挿入脚部３５ａ，３５ｂがスライダー２０の肩口側に相対的に移動する際に、左右の挿入脚部３５ａ，３５ｂにおける凸状の内側湾曲面４４がスライダー２０の案内柱２４に摺接し、それによって、挿入脚部３５ａ，３５ｂが外向きに回転するように開きながらスライダー２０の肩口側に移動するように挿入脚部３５ａ，３５ｂの動きを促すことが可能となる。その結果、左右の挿入脚部３５ａ，３５ｂをスライダー２０の肩口側に移動させ易くし、スライダー２０の摺動抵抗を軽減することが期待できる。
【符号の説明】
【０１２３】
１                防水性スライドファスナー
５                ファスナー被着製品
５ａ              開口部
１０                ファスナーストリンガー
１１                防水性テープ
１２                エレメント列
１３                ファスナーエレメント
２０                スライダー
２１                スライダー胴体
２２                上翼板
２３                下翼板
２４                案内柱
２５                フランジ部
２５ａ              上フランジ部
２５ｂ              下フランジ部
２６ａ              後方直線部
２６ｂ              湾曲部
２６ｃ              中間直線部
２６ｄ              肩口側先端部
２７                境界位置
２８                引手取付部
３０                第１止部材
３１                厚肉連結部
３２                シール部
３３                スライダー挿入部
３４                挿入基部
３５ａ              左側の挿入脚部
３５ｂ              右側の挿入脚部
３６ａ，３６ｂ      脚片本体部
３７ａ，３７ｂ      圧接隆起部
３８                密接突条部
３９                収容空間部
４１                フランジ圧接面（フランジ圧接部）
４１ａ              第１圧接直線部
４１ｂ              圧接湾曲部
４１ｃ              第２圧接直線部
４３                内側圧接面（内側圧接部）
４４                内側湾曲面
４５                移動許容間隙
４６                中央圧接部分
４７                左側の外側圧接部分
４８                右側の外側圧接部分
５０                第２止部材
５１                本体部
５２                延出部
Ｌ１              中央圧接部分の後方圧接領域の長さ寸法
Ｌ２              左側の外側圧接部分の後方圧接領域の長さ寸法
Ｌ３              右側の外側圧接部分の後方圧接領域の長さ寸法
Ｌ４              移動許容間隙の最少長さ寸法
Ｌ５              フランジ部の後方直線部の長さ寸法
Ｌ６              上下翼板の前端縁と密接突条部の内壁面との間の最少長さ寸法
Ｌ７              左右の外側圧接部分の前方圧接領域の長さ寸法
Ｄ                長さ寸法Ｌ１，Ｌ２と長さ寸法Ｌ５との差
【図１】
0006692589.tif 000002
【図２】
0006692589.tif 000003
【図３】
0006692589.tif 000004
【図４】
0006692589.tif 000005
【図５】
0006692589.tif 000006
【図６】
0006692589.tif 000007
【図７】
0006692589.tif 000008
【図８】
0006692589.tif 000009
【図９】
0006692589.tif 000010